(57)【要約】  本発明は、筐体と、筐体内に設置される内槽と、前記内槽を回転駆動する駆動装置と、内槽の底部に設置される集水装置を含み、洗浄／すすぎ時に前記内槽が貯水槽となる洗濯機であって、前記内槽の外壁に、内槽と連通して内槽から振り出された水を排出する脱水水路が設けられており、前記集水装置は上開口を有する集水室を含み、集水室の底壁には凹部が備わっており、脱水水路の排水端は下方に向かって凹部内まで延伸する洗濯機を開示する。本発明の集水装置は、内槽の容量拡大を規制するような作用を持たず、内槽の容量拡大に十分なスペースを提供可能である。また、脱水水路の排水端が集水室の底壁の凹部まで延伸して挿入されるため、水の収集及び排出に有利なだけでなく、脱水及び排水時に排出された水が集水室から飛散しないよう防止することも可能である。よって、飛散した水による筐体の腐食が防止されるとともに、飛散した水による回路の短絡も防止される。【選択図】図１
2020527966.tif 000002
【特許請求の範囲】
【請求項１】
筐体と、前記筐体内に設置される内槽と、前記内槽を回転駆動する駆動装置と、前記内槽の底部に設置される集水装置を含み、洗浄／すすぎ時に前記内槽が貯水槽となる洗濯機であって、
前記内槽の外壁に、前記内槽と連通して前記内槽から振り出された水を排出する脱水水路が設けられており、前記集水装置は上開口を有する集水室を含み、前記集水室の底壁には凹部が備わっており、前記脱水水路の排水端は下方に向かって凹部内まで延伸することを特徴とする洗濯機。
【請求項２】
前記凹部は、前記集水室の底壁を下方に凹陥させて形成され、
好ましくは、前記凹部は、前記集水室の底壁を周方向に沿って下方に一周凹陥させて形成した環状の凹溝であり、前記脱水水路の排水端は下方に向かって前記環状の凹溝の開口内まで延伸することを特徴とする請求項１に記載の洗濯機。
【請求項３】
前記環状の凹溝は前記脱水水路の下方に位置し、前記脱水水路の排水端は、下方に向かって垂直に延伸して前記環状の凹溝に挿入され、
好ましくは、前記脱水水路の排水端の辺縁は傾斜して設けられることを特徴とする請求項２に記載の洗濯機。
【請求項４】
前記環状の凹溝の開口には水平の当止リブが設けられており、前記水平の当止リブは、開口の辺縁から開口の中央に向かって延伸し、且つ、前記脱水水路の排水端の外壁と一定の距離を隔てて水の飛散を妨げることを特徴とする請求項２又は３に記載の洗濯機。
【請求項５】
前記洗濯機は排水管を含み、前記環状の凹溝は管路を介して前記排水管と連通し、環状の凹溝内の水が排水管に直接排出され、
好ましくは、管路における環状の凹溝寄りの一端の高さが排水管寄りの一端の高さよりも高いことを特徴とする請求項２〜４のいずれかに記載の洗濯機。
【請求項６】
洗濯機の排水管は集水室の底壁に接続され、環状の凹溝は、一端が排水管に近接し、他端が排水管から離間しており、前記環状の凹溝の底壁の高さは、径方向において外側から内側に向かって下方に傾斜するよう設けられ、
及び／又は、排水管に近接する一端の環状の凹溝の底壁の高さは、排水管から離間する一端の前記環状の凹溝の底壁の高さよりも低く、
好ましくは、前記環状の凹溝は、底壁における高さが最も低い位置に管路が接続されており、管路を介して排水管と連通することを特徴とする請求項２〜５のいずれかに記載の洗濯機。
【請求項７】
前記集水室の底壁の高さを四方から中央に向かって徐々に低下させることで前記凹部を形成し、前記脱水水路の排水端が前記凹部内まで延伸しており、
好ましくは、前記集水室の底壁の中央に排水口が設けられており、前記排水口は洗濯機の排水管と連通し、前記凹部の水は前記集水室の中央に集まると排水口から排出されることを特徴とする請求項１に記載の洗濯機。
【請求項８】
前記集水室の底壁の高さを外周から中央に向かって階段状に低下させることで階段状の凹部を形成し、前記脱水水路の排水端は、下方に向かって延伸して階段状の凹部に挿入され、
好ましくは、前記階段状の凹部は垂直屈曲部及び水平屈曲部を含み、前記脱水水路の排水端は水平屈曲部にちょうど対向し、排水端の側壁が垂直屈曲部に近接することを特徴とする請求項１に記載の洗濯機。
【請求項９】
前記階段状の凹部の下縁が外側から内側に向かって下方に傾斜しつつ中央まで延伸することで傾斜平面を形成し、
前記集水室の底壁の中央には排水口が設けられており、前記凹部の水は、傾斜平面により集水されて排水口に進入し、排出されることを特徴とする請求項８に記載の洗濯機。
【請求項１０】
前記集水装置は、装着底板と、装着底板に設置される堰止リブを含み、前記装着底板と堰止リブで取り囲むことで上開口を有する集水室が形成され、前記凹部は装着底板を下方に凹陥させて形成され、
好ましくは、前記堰止リブの上端は内槽の槽底よりも低いことを特徴とする請求項１〜９のいずれかに記載の洗濯機。
【発明の詳細な説明】
【技術分野】
【０００１】
本発明は洗濯機の分野に属し、具体的には洗濯機に関する。
【背景技術】
【０００２】
洗濯機は、電気を利用して衣類を洗浄する装置として設計される。一般的に、洗濯機は、洗浄水を蓄える槽と、回転可能に槽の内部に装着される回転槽と、回転可能に回転槽の底部に装着されるパルセータと、回転槽及びパルセータを回転させるよう構成されるモータ及びクラッチを含む。衣類及び洗剤が回転槽に投入された状態で回転槽とパルセータが回転すると、回転槽に投入された衣類とともにパルセータが洗浄水を攪動することで、衣類から汚れが除去される。
【０００３】
洗濯機の洗浄容量を拡大するためには、より大きな回転槽が必要となる。即ち、回転槽の高さ又は直径を増大する必要がある。また、回転槽がより大きなサイズを有する場合には、回転槽を収容する槽及び槽を収容するハウジングもまた、回転槽の拡大に伴って増大する必要がある。しかし、洗濯機の外観に対応するハウジングの拡大は、洗濯機の設置スペースに大きく規制される。一般的なユーザの家では、洗濯機の設置位置に限りがあるため、洗濯機のハウジングを拡大して洗濯槽の容量を増大させるのはあまり現実的ではない。そこで、洗濯機のハウジングを拡大することなく、如何にして洗濯槽の容量を拡大するかが設計者を悩ませる大きな難題となっている。
【０００４】
特許文献１は、内槽に孔の無い洗濯機について開示しており、洗濯機の技術分野に言及している。当該洗濯機は、節水を前提として、内槽の上方から排水する際に水が飛散して、外槽に細菌が繁殖しやすいとの課題を解決するとともに、洗濯機のコスト削減を可能とする発明である。内槽に孔の無い洗濯機は、内槽と外槽を含み、前記内槽の槽口に集水リングが設けられている。前記集水リングは、集水室と、前記集水室に連通する集水口及び排水口を含む。前記集水口は前記内槽の内部に面しており、前記排水口は前記内槽と外槽の間の隙間に面している。前記排水口には排水管が接続されており、前記排水管は下方に向かって前記外槽の底部まで延伸している。当該構造によれば、集水効果が実現される。しかし、外槽の庇が内槽よりも延伸していることから、内槽が外槽に衝突して損傷しやすい。且つ、庇が存在することから、内槽の容積を拡大しにくい。このほか、内槽の脱水過程では、高速回転により振り出された水が外槽の底に進入し、外槽から飛散しやすい。また、期間が長くなると、飛散した洗浄水によって筐体のハウジングが腐食しやすくなり、回路の短絡も生じやすい。
【０００５】
以上に鑑みて、本発明を提案する。
【先行技術文献】
【特許文献】
【０００６】
【特許文献１】中国特許出願第２０１６１０２１０９０４．６号明細書
【発明の概要】
【発明が解決しようとする課題】
【０００７】
本発明は、従来技術の瑕疵を解消し、洗濯機を提供することを解決しようとする技術的課題とする。本発明の集水装置は、内槽の容量拡大を規制するような作用を持たず、内槽の容量拡大に十分なスペースを提供可能である。また、脱水水路の排水端が集水室の底壁の凹部まで延伸して挿入されるため、水の収集及び排出に有利なだけでなく、脱水及び排水時に排出された水が集水室から飛散しないよう防止することも可能である。よって、飛散した水による筐体の腐食が防止されるとともに、飛散した水による回路の短絡も防止される。
【課題を解決するための手段】
【０００８】
上記の技術的課題を解決すべく、本発明で採用する技術方案の基本思想について以下に述べる。
【０００９】
本発明の目的は、筐体と、筐体内に設置される内槽と、前記内槽を回転駆動する駆動装置と、内槽の底部に設置される集水装置を含み、洗浄／すすぎ時に前記内槽が貯水槽となる洗濯機であって、前記内槽の外壁に、内槽と連通して内槽から振り出された水を排出する脱水水路が設けられており、前記集水装置は上開口を有する集水室を含み、集水室の底壁には凹部が備わっており、脱水水路の排水端は下方に向かって凹部内まで延伸する洗濯機を提供することである。
【００１０】
更なる方案として、前記凹部は、集水室の底壁を下方に凹陥させて形成される。好ましくは、前記凹部は、集水室の底壁を周方向に沿って下方に一周凹陥させて形成した環状の凹溝であり、脱水水路の排水端は下方に向かって環状の凹溝の開口内まで延伸する。
【００１１】
更なる方案として、前記環状の凹溝は脱水水路の下方に位置し、脱水水路の排水端は、下方に向かって垂直に延伸して環状の凹溝に挿入される。好ましくは、脱水水路の排水端の辺縁は傾斜して設けられる。
【００１２】
更なる方案として、環状の凹溝の開口には水平の当止リブが設けられている。前記水平の当止リブは、開口の辺縁から開口の中央に向かって延伸し、且つ、脱水水路の排水端の外壁と一定の距離を隔てて水の飛散を妨げる。
【００１３】
更なる方案として、洗濯機は排水管を含む。前記環状の凹溝は管路を介して排水管と連通し、環状の凹溝内の水が排水管に直接排出される。好ましくは、管路における環状の凹溝寄りの一端の高さが排水管寄りの一端の高さよりも高い。
【００１４】
更なる方案として、洗濯機の排水管は集水室の底壁に接続される。環状の凹溝は、一端が排水管に近接し、他端が排水管から離間している。前記環状の凹溝の底壁の高さは、径方向において外側から内側に向かって下方に傾斜するよう設けられる。及び／又は、排水管に近接する一端の環状の凹溝の底壁の高さは、排水管から離間する一端の環状の凹溝の底壁の高さよりも低い。好ましくは、環状の凹溝は、底壁における高さが最も低い位置に管路が接続されており、管路を介して排水管と連通する。
【００１５】
更なる方案として、前記集水室の底壁の高さを四方から中央に向かって徐々に低下させることで前記凹部を形成し、脱水水路の排水端が凹部内まで延伸する。好ましくは、集水室の底壁の中央に排水口が設けられている。前記排水口は洗濯機の排水管と連通し、凹部の水は集水室の中央に集まると排水口から排出される。
【００１６】
更なる方案として、前記集水室の底壁の高さを外周から中央に向かって階段状に低下させることで階段状の凹部を形成する。前記脱水水路の排水端は、下方に向かって延伸して階段状の凹部に挿入される。好ましくは、前記階段状の凹部は垂直屈曲部及び水平屈曲部を含む。前記脱水水路の排水端は水平屈曲部にちょうど対向し、排水端の側壁が垂直屈曲部に近接する。
【００１７】
更なる方案として、階段状の凹部の下縁が外側から内側に向かって下方に傾斜しつつ中央まで延伸することで傾斜平面を形成する。集水室の底壁の中央には排水口が設けられており、凹部の水は、傾斜平面により集水されて排水口に進入し、排出される。
【００１８】
更なる方案として、前記集水装置は、装着底板と、装着底板に設置される堰止リブを含む。前記装着底板と堰止リブで取り囲むことで上開口を有する集水室が形成される。前記凹部は装着底板を下方に凹陥させて形成される。好ましくは、前記堰止リブの上端は内槽の槽底よりも低い。
【発明の効果】
【００１９】
上記の技術方案を用いることで、本発明は従来技術と比較して以下の有益な効果を有する。
【００２０】
１．本発明では、内槽の底部に集水装置が設置されており、水を内槽から排出する際に、内槽から排出された水を収集することで水が溢れ出ないよう防止可能としている。また、集水装置は内槽の底部に位置するため、内槽と筐体の間のスペースを占有しない。よって、内槽の容量拡大を規制するような作用を持たず、内槽の容量拡大のために十分なスペースが提供される。好ましくは、集水室の側壁の上端は前記内槽の槽底よりも低く、集水装置全体が内槽の下方に位置する。これにより、集水装置は内槽と筐体の間に位置する部分の構造を有さないため槽との衝突が発生せず、且つ、内槽の容量拡大のためにスペースが提供される。
【００２１】
２．本発明では集水室の底壁に凹部が設けられ、脱水水路の排水端が凹部まで延伸して挿入されるため、水の収集及び排出に有利である。また、脱水及び排水時に排出された水が集水室から飛散しないよう防止可能なため、飛散した水による筐体の腐食が防止されるとともに、飛散した水による回路の短絡も防止される。特に、集水室の側壁が低い場合の水の飛散防止に適しており、最適な容量拡大及び水の飛散防止効果が得られる。
【００２２】
以下に、図面を組み合わせて、本発明の具体的実施形態につき更に詳細に述べる。
【００２３】
図面は本発明の一部として、本発明の更なる理解のために提供される。本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなくこれらの図面から更にその他の図面を得ることも可能である。
【図面の簡単な説明】
【００２４】
【図１】図１は、本発明の洗濯機の構造を示す図である。
【図２】図２は、本発明の洗濯機の正面図である。
【図３】図３は、本発明の洗濯機の立体構造を示す図である。
【図４】図４は、本発明の実施例３で記載する洗濯機の構造を示す図である。
【図５】図５は、本発明の実施例４で記載する洗濯機の構造を示す図である。
【発明を実施するための形態】
【００２５】
なお、これらの図面及び文字記載は何らかの方式で本発明の構想の範囲を制限するとの意図ではなく、特定の実施例を参照して当業者に本発明の概念を説明するためのものである。
【００２６】
本発明における実施例の目的、技術方案及び利点をより明確とすべく、以下では本発明の実施例にかかる図面を組み合わせて、実施例の技術方案につき明瞭簡潔に述べる。なお、以下の実施例は本発明を説明するためのものであって、本発明の範囲を制限するものではない。
【００２７】
本発明の記載において、「上」、「下」、「前」、「後」、「左」、「右」、「垂直」、「内」、「外」等の用語で示される方向又は位置関係は、図示に基づく方向又は位置関係であり、本発明の記載の便宜上及び記載の簡略化のためのものにすぎず、対象となる装置又は部材が特定の方向を有し、且つ特定の方向で構成及び操作されねばならないことを明示又は暗示するものではない。よって、本発明を制限するものと理解すべきではない。
【００２８】
本発明の記載において、別途明確に規定及び限定しない限り、「装着する」、「連なる」、「接続する」との用語は広義に解釈すべきである。例えば、固定接続であってもよいし、取り外し可能な接続であってもよいし、一体接続であってもよい。また、機械的な接続であってもよいし、電気的な接続であってもよい。更には、直接的な連なりであってもよいし、中間媒体を介した間接的な連なりであってもよい。当業者であれば、具体的状況に応じて本発明における上記用語の具体的意味を解釈可能である。
【実施例１】
【００２９】
図１〜図５に示すように、本実施例は、筐体１、筐体１内に設置される内槽２、前記内槽２を回転駆動する駆動装置３、及び内槽２の底部に設置される集水装置５を含む洗濯機を提供する。洗浄／すすぎ時に、前記内槽２は貯水槽となる。前記内槽２の外壁には、内槽２と連通して内槽２から振り出された水を排出する脱水水路４が設けられている。前記集水装置５は、上開口を有する集水室５０１を含む。集水室５０１の底壁には凹部６が備わっており、脱水水路４の排水端４０１は下方に向かって凹部６内まで延伸する。
【００３０】
本実施例の洗濯機には外槽が設けられておらず、内槽２が貯水槽となり得る。即ち、上部にのみ脱水孔が設けられており、中央部と下部には孔の無い内槽２となっている。内槽２の底部には集水装置５が設置されており、水を内槽２から排出する際に、内槽２から排出された水を収集することで、水が溢れ出ないよう防止可能としている。また、集水装置５は、内槽２の容量拡大を規制するような作用を持たないため、内槽２の容量拡大に十分なスペースが提供される。
【００３１】
集水室５０１の底壁には凹部６が設置され、脱水水路４の排水端４０１が凹部６まで延伸して挿入されるため、水の収集及び排出に有利である。また、脱水及び排水時に排出された水が集水室５０１から飛散しないよう防止することも可能なため、飛散した水による筐体１の腐食が防止されるとともに、飛散した水による回路の短絡も防止される。特に、集水室５０１の側壁が低い場合の水の飛散防止に適しており、最適な容量拡大及び水の飛散防止効果が得られる。
【００３２】
前記凹部６は、集水室５０１の底壁を下方に凹陥させて形成してもよいし、底壁に独立した部材を別途設けてもよい。例えば、集水室５０１の底壁に堰止リブ５０２を設け、堰止リブ５０２と集水室５０１の底壁により凹部６を形成する。
【００３３】
好ましい方案として、前記集水室５０１の側壁上端は前記内槽２の槽底よりも低くなっている。
【００３４】
集水室５０１の側壁上端は前記内槽２００の槽底よりも低くなっているため、集水室５０１全体を内槽２の槽底の下方に位置させることが可能である。これにより、集水室５０１の側壁は内槽２と筐体１の間に位置する構造を持たなくなるため、内槽２と集水装置５の間に一定の安全距離を設けなくても、内槽２が集水装置５に衝突して破損するとの事態が防止される。且つ、集水装置５と筐体１の間にも安全距離を設ける必要はない。従って、内槽２と筐体１との安全距離だけを設計すればよく、内槽２の槽径を大幅に拡大可能となることから、内槽２の容量拡大がより良好に実現される。
【００３５】
好ましい方案として、前記集水装置５は、装着底板５０３と、装着底板５０３に設置される堰止リブ５０２を含む。前記装着底板５０３と堰止リブ５０２で取り囲むことで、上開口を有する集水室５０１が形成される。前記堰止リブ５０２の上端は内槽２の槽底よりも低くなっている。また、前記凹部６は装着底板５０３を下方に凹陥させて形成する。
【００３６】
装着底板５０３と堰止リブ５０２を設け、これらで取り囲むことにより集水室５０１を形成する。装着底板５０３と堰止リブ５０２は一体成型としてもよいし、密封状に固定してもよい。凹部６は、装着底板５０３に直に設け、凹陥させることで形成すればよい。当該構造はシンプルであり、加工・成型が容易である。
【００３７】
更なる方案として、内槽２の水平方向の投影図が集水室５０１の水平方向の投影図の内側に位置する場合、脱水水路４の排水端４０１は下方に垂直に延伸するか、屈曲して延伸し、凹部６に挿入されればよいが、好ましくは下方に垂直に延伸する。この場合、屈曲角度を計算する必要がないため、加工が容易となる。且つ、水流が屈曲により妨げられないため、より円滑となり、排水にいっそう有利である。
【００３８】
内槽２の水平方向の投影図が前記集水室５０１の水平方向の投影図を覆う場合、脱水水路４の排水端４０１は内側に屈曲して凹部６まで延伸する。このような方案では、集水室５０１の外径が内槽２の外径よりも小さくなるのに対し、脱水水路４は内槽２の外周壁に設置されているため、内側に屈曲して進入させる必要がある。脱水水路４は、複数回屈曲させて凹部６に挿入してもよい。
【００３９】
凹部６は、管路１１を介して洗濯機の排水管８と連通し、排水管８から凹部６内の水を速やかに直接排出することで、上部からの水の飛散を防止してもよい。また、集水室５０１の底壁を十分に活用し、水室５０１の底部に排水口７を設けてもよい。この場合、集水室５０１の一部の底壁を凹部６の底部よりも低くする。凹部６内の水は集水室５０１に直接集められたあと、排水口７から排出可能となる。この方式であれば、管路１１を別途設置する必要がない。
【実施例２】
【００４０】
図１〜３に示すように、本実施例では実施例１を更に限定する。本実施例の凹部６は、集水室５０１の底壁を下方に凹陥させて形成する。前記凹部６は、集水室５０１の底壁を周方向に沿って下方に一周凹陥させて形成した環状の凹溝６０１である。脱水水路４の排水端４０１は、下方に向かって環状の凹溝６０１の開口内まで延伸する。
【００４１】
集水室５０１には、製造過程において底壁を下方に凹陥させることで環状の凹溝６０１が形成されるため、製造が簡単便利であり、低コストである。或いは、集水室５０１の内側の底壁に環状の堰止リブを設け、堰止リブと集水室５０１の底壁及び側壁で取り囲むことで環状の凹溝６０１を形成する。或いは、複数の環状の堰止リブと集水室５０１の底壁で取り囲むことで環状の凹溝６０１を形成する。どのような方式であっても、凹部６を形成可能であり、且つ、脱水水路４の排水端４０１と連携して水の飛散を防止できればよい。
【００４２】
脱水水路４の排水端４０１は環状の凹溝６０１に挿入される。内槽２の回転時において、脱水水路４の排水端４０１は環状の凹溝６０１内で回転するため邪魔にならない。環状の凹溝６０１は集水室５０１の底壁よりも低くなっており、排水端４０１は下方に向かって環状の凹溝６０１の開口内まで延伸する。このように、脱水水路４に排出された水は環状の凹溝６０１に直接進入するが、凹溝６０１はスペースが比較的小さいため、水が集水室５０１の上方から飛散することはない。
【００４３】
好ましくは、脱水水路４の排水端４０１の外側壁と環状の凹溝６０１の内壁は近接しており、且つ一定の隙間を隔てている。これにより、脱水水路４を内槽２と共に衝突することなく円滑に回転可能としつつ、隙間をできる限り小さくできるため、上部からの水の飛散が回避される。
【００４４】
更なる方案として、前記環状の凹溝６０１は脱水水路４の下方に位置する。脱水水路４の排水端４０１は下方に向かって垂直に延伸し、環状の凹溝６０１に挿入される。
【００４５】
脱水水路４の排水端４０１と環状の凹溝６０１の位置は互いに組み合わされるよう設置する必要がある。環状の凹溝６０１を内槽２と同軸に設置し、且つ、直径を内槽２に近づけることで、環状の凹溝６０１の上開口は脱水水路４の下部の排水端４０１にちょうど対向可能となる。脱水水路４の排水端４０１は環状の凹溝６０１に垂直に挿入されるため、加工が容易である。且つ、水流が屈曲により妨げられないためより円滑となり、排水にいっそう有利となる。
【００４６】
好ましい方案として、脱水水路４の排水端４０１の辺縁は傾斜して設けられる。排水端４０１の辺縁の外側を低く、内側を高くすることで、回転過程で水流の流動方向を内側に向けることが可能となる。これにより、集水室５０１からの水の飛散が回避される。
【００４７】
更なる方案として、環状の凹溝６０１の開口には水平の当止リブが設けられている。前記水平の当止リブは、開口の辺縁から開口の中央に向かって延伸し、且つ、脱水水路４の排水端４０１の外壁と一定の距離を隔てて水の飛散を妨げる。
【００４８】
環状の凹溝６０１の開口には水平の当止リブが設けられている。脱水水路４の排水端４０１が環状の凹溝６０１に挿入されたあと、水平の当止リブは、環状の凹溝６０１を遮断することで蓋の役割を果たす。これにより、溝内の水が上部から飛散しないよう回避可能となる。且つ、水平の当止リブは排水端４０１の外壁と一定の隙間を隔てているため、内槽２に伴う脱水水路４の回転が妨げられることはない。
【００４９】
更なる方案として、洗濯機は排水管８を含む。前記環状の凹溝６０１は管路１１を介して排水管８と連通し、環状の凹溝６０１内の水が排水管８に直接排出される。
【００５０】
本方案における環状の凹溝６０１の底部は集水室５０１の底壁よりも低くなっているため、環状の凹溝６０１の底部から水を集水室５０１に直接排出することは不可能である。そのため、管路１１を設け、環状の凹溝６０１を排水管８に直に連通することで、環状の凹溝６０１内の水を排出可能とする。これにより、水が過剰となって環状の凹溝６０１の上部から溢れ出すことがなく、水の飛散が回避される。
【００５１】
好ましくは、管路１１における環状の凹溝６０１寄りの一端の高さを、排水管８寄りの一端の高さよりも高くする。これにより、集水室５０１内の水を排水管８に円滑に流入させやすくなる。
【００５２】
更なる方案として、洗濯機の排水管８は、環状の凹溝６０１の内周の内側に位置し、且つ集水室５０１の底壁に接続される。環状の凹溝６０１は、一端が排水管８に近接し、他端が排水管８から離間している。前記環状の凹溝６０１の底壁の高さは、径方向において外側から内側に向かって下方に傾斜するよう設けられる。及び／又は、排水管８に近接する一端の環状の凹溝６０１の底壁の高さは、排水管８から離間する一端の環状の凹溝６０１の底壁の高さよりも低い。
【００５３】
好ましくは、環状の凹溝６０１は、底壁における高さが最も低い位置に管路１１が接続されており、管路１１を介して排水管８と連通する。
【００５４】
環状の凹溝６０１の底壁は傾斜して設けられるため、水流を高い側から低い側へと案内可能である。これにより、水流の速度が加速し、水溜まりも回避可能となる。また、排水管８寄りの側に管路１１を設け、環状の凹溝６０１を排水管８に連通して排水するため、管路１１の距離が短くなり、設置しやすい。従って、本方案における環状の凹溝６０１の底壁の高さは、各方向において排水管８が存在する側に向かって低くなっている。
【００５５】
通常、環状の凹溝６０１は集水室５０１の底壁の外周に設けられ、排水管８が環状の凹溝６０１の内周の内側に対応して設けられる。この場合、底壁の高さを径方向において外側から内側に向かって下方に傾斜するよう設ければ、水流が中央に集まりやすくなる。また、環状の凹溝６０１のうち水平方向において排水管８に近接する一端を高くし、排水管８から離間する一端を低くすることで、水流は低い側の一端に集まりやすくなる。これにより、管路１１を通じて排水管８に水をいっそう排出しやすくなる。
【実施例３】
【００５６】
図４に示すように、本実施例は実施例１を更に限定するものであり、凹部６に関する別の実施形態である。本実施例では、集水室５０１の底壁の高さを四方から中央に向かって徐々に低下させることで前記凹部６を形成する。また、脱水水路４の排水端４０１が凹部６内まで延伸する。
【００５７】
本実施例の集水室５０１の底壁は、外側から内側に向かって下方に傾斜するよう設けられる。そのため、形成される凹部６は漏斗型に類似し、水流の速度を加速可能である。脱水水路４の排水端４０１を凹部６まで延伸させると、排出された水は、高い位置に集まることなく集水室５０１の最も低い箇所まで急速に流動可能となる。よって、回転及び脱水時に水が集水室５０１から飛散することも筐体１に飛び散ることもなく、いっそう安全である。
【００５８】
好ましくは、集水室５０１の底壁の中央に排水口７が設けられ、前記排水口７が洗濯機の排水管８と連通する。凹部６の水は、集水室５０１の中央に集まると排水口７から排出される。
【００５９】
集水室５０１の中央は底壁の最も低い箇所となっており、脱水水路４から排出された水は全てここに集中する。そのため、底壁の中央に排水口７を設けることで、集まった水を余すところなく最大限排出可能となり、汚れや細菌の蓄積が回避される。また、管路１１を設置する場合と異なり、容易且つ便利である。
【実施例４】
【００６０】
図５に示すように、本実施例は実施例１を更に限定するものであり、凹部６に関する別の実施形態である。本実施例では、集水装置５の集水室５０１の底壁の高さを外周から中央に向かって階段状に低下させることで階段状の凹部６を形成する。前記脱水水路４の排水端４０１は、下方に向かって延伸して階段状の凹部６に挿入される。
【００６１】
階段状の凹部６は、脱水水路４の排水端４０１に組み合わせ可能に設置される。これにより、脱水水路４の排水端４０１がちょうど階段状の凹部６まで延伸して挿入されるため、排出された水は下りの階段を通って急速に流出可能となる。また、上部の段差によって上部からの水の飛散も阻止される。且つ、内槽２に伴う脱水水路４の回転が妨げられることもない。
【００６２】
好ましくは、前記階段状の凹部６は垂直屈曲部９及び水平屈曲部１０を含む。前記脱水水路４の排水端４０１は水平屈曲部１０にちょうど対向し、排水端４０１の側壁が垂直屈曲部９に近接する。
【００６３】
階段状の凹部６は、底部に接続される垂直屈曲部９と水平屈曲部１０を１つずつ含んでもよいし、接続される垂直屈曲部９と水平屈曲部１０を複数含んでもよい。排水端４０１の側壁は、垂直屈曲部９に近接して水流の上方への飛散を阻止可能である。また、脱水水路４の排水端４０１が水平屈曲部１０にちょうど正対することで、水流は集水することなく迅速に下方へと流動するため、外部への飛散が更に防止される。
【００６４】
好ましくは、階段状の凹部６の下縁が外側から内側に向かって下方に傾斜しつつ中央まで延伸することで傾斜平面を形成する。また、集水室５０１の底壁の中央には排水口７が設けられている。凹部６の水は、傾斜平面により集水されて排水口７に進入し、排出される。
【００６５】
図５に示すように、階段状の凹部６は、脱水水路４の排水端４０１に対応する垂直屈曲部９と水平屈曲部１０を含む。水平屈曲部１０の内側の辺縁は、外側から内側に向かって下方に傾斜しつつ中央まで延伸する。このとき、階段状の凹部６に連なる集水室５０１の底壁が漏斗型に類似するため、水流の速度が加速される。これにより、排出された水は、高い位置に集まることなく集水室５０１の最も低い箇所まで急速に流動可能となる。よって、回転及び脱水時に水が集水室５０１から飛散することも筐体１に飛び散ることもなく、いっそう安全である。また、底壁の中央に排水口７を設けることで、集まった水を余すところなく最大限排出可能となり、汚れや細菌の蓄積が回避される。且つ、管路１１を設置する場合と異なり、容易且つ便利である。
【００６６】
以上は本発明の好ましい実施例にすぎず、本発明を何らかの形式に限定するものではない。本発明については好ましい実施例によって上記のように開示したが、本発明を限定するとの主旨ではない。本発明の技術方案を逸脱しない範囲において、当業者が上記で提示した技術内容を用いて行うわずかな変形或いは補足は、同等に変形された等価の実施例とみなされ、いずれも本発明の技術方案の内容を逸脱するものではない。また、本発明の技術的本質に基づいて上記の実施例に加えられる簡単な修正、同等の変形及び補足は、いずれも本発明の方案の範囲内とされる。
【符号の説明】
【００６７】
１      筐体
２      内槽
３      駆動装置
４      脱水水路
４０１  排水端
５      集水装置
５０１  集水室
５０２  堰止リブ
５０３  装着底板
６      凹部
６０１  環状の凹溝
７      排水口
８      排水管
９      垂直屈曲部
１０    水平屈曲部
１１    管路
【図１】
2020527966.tif 000003
【図２】
2020527966.tif 000004
【図３】
2020527966.tif 000005
【図４】
2020527966.tif 000006
【図５】
2020527966.tif 000007
【国際調査報告】
2020527966.tif 000008
2020527966.tif 000009
2020527966.tif 000010
2020527966.tif 000011